(57)【要約】【課題】  構造が簡単で、水分の除去効果の高い気圧式水除け装置を提供すること。【解決手段】  内部に貯槽空間110を形成し、この貯槽空間110に連通して空気入口122と空気出口124とを形成した本体10と、本体10内に設けられ、貯槽空間110を複数の空気室112,113と、集水室114とを形成して本体10の内部に屈曲した空気の流通経路を形成するための少なくとも一つの間隔管13とよりなる。一部の空気室112は空気入口122と連通し、他の一部の空気室113は空気出口124と連通し、少なくとも一つの間隔管13は管体であって、前記貯槽空間110を空気入口122に連通した外側の空気室112と、空気出口124に連通した内側の空気室113とに分け、間隔管13内に収納された導管14は、間隔管13より短く、かつ内部に設けた複数のスペーサー15で導管14内を複数の内室に区画し、いずれのスペーサー15に開設した空気穴152を通じて隣り合う内室が連通していて、あるひとつの内室は空気出口124と連通し、他のひとつの内室は間隔管内の内空気室113と連通している。【選択図】  図２
0003102934.tif 000002
【実用新案登録請求の範囲】
【請求項１】
気圧式空気水除け装置であって、
内部に貯槽空間を形成し、この貯槽空間に連通して空気入口と空気出口とを形成した本体と、
本体内に設けられ、貯槽空間を複数の空気室と、集水室とを形成して本体の内部に屈曲した空気の流通経路を形成するための少なくとも一つの間隔管とよりなり、
一部の空気室は空気入口と連通し、他の一部の空気室は空気出口と連通し、
少なくとも一つの間隔管は管体であって、前記貯槽空間を空気入口に連通した外側空気室と、空気出口に連通した内側空気室とに分けて形成し、
間隔管内に収納された導管は、間隔管より短く、かつ内部に設けた複数のスペーサーで導管内を複数の内室に区画し、いずれのスペーサーに開設した空気穴を通じて隣り合う内室が連通していて、
あるひとつの内室は空気出口と連通し、他のひとつの内室は間隔管内の内側空気室と連通していることを特徴とする、
気圧式空気水除け装置。
【請求項２】
第1項に記載した水除け装置において、各スペーサーを互いに平行に形成したことを特徴とする、気圧式空気水除け装置。
【請求項３】
第1項に記載した水除け装置において、各スペーサーが導管と相対する方向に傾斜していることを特徴とする、気圧式空気水除け装置。
【請求項４】
第1項に記載した水除け装置において、間隔管を複数の管体により構成し、隣り合う管体の間を連通し、前記管体の一端を空気出口に連通し、前記管体の他端を空気出口に連通させたことを特徴とする、気圧式空気水除け装置。
【請求項５】
第1項に記載した水除け装置において、間隔管は、本体内に一体に設け、本体内の貯槽空間を複数の空気室に区画する複数の壁により構成し、いずれの壁には空気穴を設けて隣り合う空気室の間を連通し、一部の空気室は本体上部の空気入口と連通し、他の空気室は本体の底部に形成した集水室と連通し、集水室と空気出口とを連通したことを特徴とする、気圧式空気水除け装置。
【考案の詳細な説明】
【技術分野】
【０００１】
この考案は気圧式空気水除け装置（圧縮空気中の水分除去装置）に関するものであり、詳細には空気の圧力を直接利用して複数の空気室及び階段状の分離導管をもつ高圧容器を通じ、有効に高い水除け効果を達成できる気圧式空気水除け装置に関する。
【背景技術】
【０００２】
現在、図９に示すような圧縮空気中に含む水分の問題を解決する主要な対策技術が提案されている。
コンプレッサー（50）は空気を圧縮して空気溝（またはタンク）（51）に貯蔵し、管路（60）により順序に伝送し、乾燥機（52）（一部のシステムでは乾燥機と言う乾燥設備がない）及び水除け器（90）を経て、圧縮空気の中の水分を降下させてから各種の端末機器（53）へ伝送し、圧縮空気を動力用に提供するようになっている。
もう既に発売され、または関連書類に開示された圧縮空気水除け装置の技術は主に、
1.多重式精密濾過水除け器
2.螺旋式濾過水除け器
3.冷凍式乾燥水除け装置
4.付着式乾燥水除け装置
5.上記四つの合わせ水除け装置、
等があり、それらを利用して圧縮空気中の水分除去の目的を達成している。
【考案の開示】
【考案が解決しようとする課題】
【０００３】
しかしながら、実際に使用すると、従来の水除け装置は一般的に水除け効果が悪いうえに、構造や設計が複雑であり、また価格も高く、エネルギーの浪費などの問題が存在する。
そのため、如何にもっと良い水除け装置設計を開発することは関連業者にとって突破すべき課題となっている。
【０００４】
この考案の主な目的は構造が簡単で、水分の除去効果の高い気圧式水除け装置を提供することである。
この考案は、空気流の角度、容積と流速を変えて、電力、濾過器及び冷媒の要らない設計で、高い水除け効果のある気圧式水除け装置を提供することである。
【課題を解決するための手段】
【０００５】
本考案に係る水除け装置は多数の空気室及び階段状の分離導管をもつ高圧容器であり、高圧容器に圧縮された空気を導入し水と空気が分離する現象を生じるので、多数の空気室及び階段状の分離導管により空気流れの角度、容積と流速を変え、電力、濾過器及び冷媒の要らない設計で、高い水除け効果のある気圧式水除け装置である。
【０００６】
すなわち、本考案は気圧式空気水除け装置であって、内部に貯槽空間を形成し、この貯槽空間に連通して空気入口と空気出口とを形成した本体と、本体内に設けられ、貯槽空間を複数の空気室と、集水室とを形成して本体の内部に屈曲した空気の流通経路を形成するための少なくとも一つの間隔管とよりなり、一部の空気室は空気入口と連通し、他の一部の空気室は空気出口と連通し、間隔管は管体であって、前記貯槽空間を空気入口に連通した外側空気室と、空気出口に連通した内側空気室とに分け、間隔管内に収納された導管は、間隔管より短く、かつ内部に設けた複数のスペーサーで導管内を複数の内室に区画し、いずれのスペーサーに開設した空気穴を通じて隣り合う内室が連通していて、あるひとつの内室は空気出口と連通し、他のひとつの内室は間隔管内の内側空気室と連通していることを特徴とするものである。
また前記した気圧式空気水除け装置において、各スペーサーを互いに平行に形成してもよい。
また前記した気圧式空気水除け装置において、各スペーサーが導管と相対する方向に傾斜して形成してもよい。
また前記した気圧式空気水除け装置において、少なくとも一つの間隔管が複数の管体により構成し、隣り合う管体の間を連通し、前記管体の一端を空気出口に連通し、前記管体の他端を空気出口に連通させてもよい。
また前記した気圧式空気水除け装置において、間隔管は、本体内に一体に設け、本体内の貯槽空間を複数の空気室に区画する複数の壁により構成し、いずれの壁には空気穴を設けて隣り合う空気室の間を連通し、一部の空気室は本体上部の空気入口と連通し、他の空気室は本体の底部に形成した集水室と連通し、集水室と空気出口とを連通して構成してもよい。
【考案の効果】
【０００７】
この考案は、構造が簡単で、設備のコストが低く、しかも格外のエネルギーやフィルターまたは冷媒が不要で、有効に高圧空気の水分を分離して凝らせて排除できる。
この考案は高圧に耐えられる本体の内部には数個の空気室及び階段状の分離導管などの特殊な設計を設け、大幅に高圧空気の流れ角度、容積と流速を変えられ、有効に空気の中の水分を分離させ凝らし排除でき、構造が簡単で、格外のエネルギーが要らず、そして高い水除け効果のある気圧式空気水除け装置と言う斬新な考案である。
【考案を実施するための最良の形態】
【０００８】
図１，２を参考しながら、本考案に係る気圧式水除け装置について説明する。
図１は気圧式水除け装置（10）の立体外観概略図であり、図２はその断面構造の概略図を示す。
【０００９】
水除け装置（10）は本体（11）を具備し、本体（11）はその上部を開口した管状形態を呈する。本体（11）の内面には裏張り（111）を設け、本体（11）の上にある開口にはカバー（12）が設置してあり、本体（11）の内部には高圧空気に耐えられる溝（貯槽空間）（110）を形成している。
カバー（12）には溝（110）上のサイドを通す空気入口（122）と、溝（110）上の中央を通す空気出口（124）とを設ける。空気出口（124）の位置に直接的に気圧表（圧力計）（17）を繋げて設ける。
【００１０】
この考案は本体（11）の溝（110）に少なくとも一層以上の間隔を保つ間隔管（13）があり、溝（110）を複数の空気室に区別している。
図に示す実施例は、直立の間隔管（13）を設け、間隔管（13）のトップがカバー（12）の底に連結することで溝（110）を区別し、裏張り（111）と間隔管（13）との間の第一空気室（112）と、間隔管（13）の内部の第二空気室（113）と、間隔管（13）の下にある集水室（114）との複数の空間に分けた場合を示す。カバー（12）に設けた空気入口（122）は第一空気室（112）と連通する。
間隔管（13）の内部には導管（14）が設置してある。導管（14）はその上部がカバー（12）の底部と連結している。しかも導管（14）の直径と長さは間隔管（13）より小さい。
【００１１】
カバー（12）に設けた空気出口（124）を導管（14）のトップに連通させる。導管（14）の内部には少なくとも二層以上の間隔を保つスペーサー（15）があり、スペサー（15）には少なくとも一個の空気穴（152）を開設する。そして隣り合う各スペーサー（15）の空気穴（152）を互い違いとなるように交差する位置に形成することで、導管（14）の内部には階段状に空気と水分の分離経路を形成する。
図示した導管（14）には間隔を隔てて多層のスペーサー（15）を設け、各スペーサー（15）に小さな空気穴（152）を開設している。
【００１２】
この考案は、本体（11）の側面の一部であって、間隔管（13）の底部と対応するところに、溝（110）内を透視可能なウィンドー（116）を設けて、使用者が必要な時に本体（11）の内部の溝（110）の状態を観察できるようになっている。
【００１３】
また、本体（11）の底部には、開閉バルブ（図示せず）によりコントロールする排水管（16）を設置する。その排水管（16）の上部の排水口（162）には濾過網が設けてある。集水室（114）の底部で、分離されて溜まっている水を排除できるようになっている。
同時にクリアするため本体（11）の底部の排水管（16）のそばには、開閉式の手動バルブ（166）を備えた排水管（16）を設ける。
上記した構造の図１，２に示すような気圧式水除け装置（10）を組み立てる。
【００１４】
つぎに図３を参照しながら気圧式水除け装置（10）の作用について説明する。
この考案は空気高圧に耐えられる本体（11）の内部に間隔管（13）と、多層スペーサー（15）付きの階段状の導管（14）等の設計を採用し、圧縮された空気を高圧容器へ導入することにより、水と空気に分離する特性と、空気入口（122）から導入された高圧空気の流れ角度と容積を大幅に変え、それに階段状の導管（14）の小さい空気穴（152）で空気の流速を変え、高圧空気に含まれた水分を裏張り（111）、間隔管（13）、導管（14）及びスペーサー（15）等の表面に凝らせ（結露）、そして分離した水分を溝（110）の底部の集水室（114）へ落下させることで、有効に水分を除去する目的を達成し得る。
また運転が停止する時に、バルブを利用して集水室（114）中に溜った水を排水管（16）より排除する、という絶妙な設計になっている。
【００１５】
以降に他の実施の形態について説明するが、その説明に際し、前記した実施の形態１と同一の部位は同一の符号、或いは関連する符号を付してその詳しい説明を省略する。
本考案に係る気圧式水除け装置（10）は、構造設計は図１〜図３に示すような実施例に限定されず、その設計は適当に変更することができる。
【００１６】
図４，５，６，７，８に示すような各種の実施様態を適用することができる。
図４は導管（14）内の各スペーサー（15´）を傾斜させて互いに平行に形成した形態を示す。傾斜した各スペーサー（15）には寸法の異なる空気穴（152），（154）を形成している。
図５は導管（14）内の各スペーサー（15''）の傾斜方向を順次変えてジグザグ状に傾斜して形成した形態を示す。本例にあっては、各スペーサー（15''）の上端と上端近くに寸法の異なる空気穴（152''），（154）を形成している。
図６は導管（14）をらせん状の管体で構成した形態を示す。この螺旋状の管体には所定の間隔を隔てて管路を塞ぐように複数のスペーサー（15'''）を形成すると共に、各スペーサー（15'''）には空気穴（152'''）を形成している。
図７は間隔管（13'）を複数の管体により構成する場合を示す。カバー（12）の底部には複数の函体を垂下して取り付けると共に、隣り合う函体の上部間と下部間を連絡管（132）で連通して各管体の間に波形の連続した空間を形成する。管体の一端は空気入口（122）に接続し、他端を空気出口（124）に接続している。
図８は本体（11）内に間隔管（13''）を壁体で構成した形態を示す。
本体（11）の内部には、空気出口（124）から空気入口（122）へ向けて下り勾配の隔壁を設けると共に、この隔壁の上部に複数の壁体を縦向きに形成して空間を複数に区画する。間隔管（13''）を構成する縦向きの壁体の上下部には寸法の異なる穴（136），（138）が開設してある。また図面最右方の空間を区画する隔壁にも穴を開設して、圧縮空気と分離した水分の両方を通過できる構造になっている。
また、空気高圧に耐えられる本体内部に多数の空気室及び階段状に分離導管を設けるという設計で、空気の流れ角度と、容積及び流速を変え、有効に高圧容器内で水分を分離して凝らせて除去するものなら、この考案が保護したい目標となる。
【図面の簡単な説明】
【００１７】
【図１】この考案における実施例の立体外観概略図である。
【図２】この考案における実施例の断面構造概略図である。
【図３】この考案における実施例の実施使用概略図である。
【図４】この考案におけるにおける第二実施例の断面構造概略図である。
【図５】この考案におけるにおける第三実施例の断面構造概略図である。
【図６】この考案におけるにおける第四実施例の断面構造概略図である。
【図７】この考案におけるにおける第五実施例の断面構造概略図である。
【図８】この考案におけるにおける第六実施例の断面構造概略図である。
【図９】空気水除け器の装置使用状態概略図である。
【符号の説明】
【００１８】
１０・・・水除け装置
１１・・・本体
１１０・・・溝（貯槽）
１１１・・・裏張り
１１２・・・第一空気室（外側空気室）
１１３・・・第二空気室（内側空気室）
１１４・・・集水室
１１６・・・ウィンドー
１２・・・カバー
１２２・・・空気入口
１２４・・・空気出口
１３・・・間隔管
１４・・・導管
１５・・・スペーサー
１５２・・・空気穴
１６，１６４・・・排水管
１６２・・・排水口
１６６・・・バルブ
１７・・・気圧表
５０・・・コンプレッサー
５１・・・空気溝
５２・・・乾燥機
５３・・・端末機器
６０・・・管路
９０・・・水除け器
【図１】
0003102934.tif 000003
【図２】
0003102934.tif 000004
【図３】
0003102934.tif 000005
【図４】
0003102934.tif 000006
【図５】
0003102934.tif 000007
【図６】
0003102934.tif 000008
【図７】
0003102934.tif 000009
【図８】
0003102934.tif 000010
【図９】
0003102934.tif 000011